(57)【要約】      （修正有）【課題】利用者の体を上方に引く動作をやることができ、そして構造を簡単に折畳むと腹筋を鍛錬する動作をやることもできる体引き及び腹筋鍛錬式健康器を提供する。【解決手段】第１枠１１と、該第１枠に枢着されている第２枠１２とを含み、前記第１枠と前記第２枠は、互いに折畳み、又はある開角を成して地面に立設でき、前記第１枠と前記第２枠の枢着箇所は枢着端１０であり、前記第１枠と前記第２枠との前記枢着端から遠ざかった端は自由端１２０であり、前記枢着端には、利用者が握り可能な第１握り部及び押付けロッドが設けられる台座１と、摺動ロッド２１と、減衰装置２３とを含み、前記摺動ロッドの両端から第２握り部２１０が延びており、前記摺動ロッドの底部にローラが設けられ、前記摺動ロッドは前記第２枠を摺動できる摺動装置２とを含む。【選択図】図１
0003169576.tif 000002
【実用新案登録請求の範囲】
【請求項１】
第１枠と、前記第１枠に枢着されている第２枠と、を含み、前記第１枠と前記第２枠は
、互いに折畳み、又はある開角を成して地面に立設でき、前記第１枠と前記第２枠の枢着箇所は枢着端であり、前記第１枠と前記第２枠との前記枢着端から遠ざかった端は自由端であり、前記枢着端には、利用者が握り可能な第１握り部及び押付けロッドが設けられる台座と、
摺動ロッドと、減衰装置と、を含み、前記摺動ロッドの両端から第２握り部が延びてお
り、前記摺動ロッドの底部にローラが設けられ、前記摺動ロッドは前記第２枠を摺動でき
、腹筋を鍛錬したい場合には、前記第１枠と前記第２枠を折畳んで前記第２枠が上方に向くように地面に放置して、前記減衰装置の一端を前記第２枠の前記自由端に固定して、前記減衰装置の他端を前記枢着端の滑り車を回って前記摺動ロッドの固定具に固定し、利用者が前記摺動ロッドの前記第２握り部を握って、前記枢着端の前記押付けロッドに膝を押付けて、前記摺動ロッドをスライドすると腹筋を鍛錬することができ、体を上方に引きたい場合には、前記第１枠と前記第２枠をある開角を成して地面に立設して、前記第２枠の前記自由端と前記枢着端とに、前記減衰装置の両端をそれぞれ固定して、利用者が前記第１握り部を握って、前記摺動ロッドに膝を押付けて、前記摺動ロッドをスライドすると体を上方に引くことができる摺動装置と、
を含むことを特徴とする体引き及び腹筋鍛錬式健康器。
【請求項２】
前記第１枠と前記第２枠との枢着箇所で角度調整具が設けられ、前記角度調整具により
、前記第１枠と前記第２枠の開角を調整できることを特徴とする、請求項１に記載の体引き及び腹筋鍛錬式健康器。
【請求項３】
前記角度調整具は、複数の定位穴を有する半円形円盤と、ピンと、を含み、前記第１枠
と前記第２枠の開角を調整して、前記定位穴に前記ピンを挿入することにより、前記第１
枠と前記第２枠の開角を固定できることを特徴とする、請求項２に記載の体引き及び腹筋
鍛錬式健康器。
【考案の詳細な説明】
【技術分野】
【０００１】
本考案は、健康器に関し、特に、利用者の体を上方に引くことができ、又は腹筋を鍛
錬できる体引き及び腹筋鍛錬式健康器に関するものである。
【背景技術】
【０００２】
市販している健康器は、利用者の身体を鍛錬できるものの他、利用者の身体の曲線を綺
麗にし、或いは利用者の身体の一部を鍛錬できるものもある。消費者に最も愛用される鍛
錬動作は、利用者の体を上方に引く動作及び腹筋を鍛錬する動作である。利用者の体を上
方に引く動作をやると、背部の筋肉を引っ張ることができ、背部の曲線を綺麗にすること
ができ、血行を良くすることもできる。従来、利用者の体を上方に引く動作をやる場合に
は、利用者の胸部よりも高い横ロッドを手で握って、アームと背部とによる力により、利
用者の体を上方に引く。このような動作を繰り返すことにより、アームと背部との筋肉を
鍛錬する効果がある。しかし、一般の家庭では、利用者の体を上方に引く動作をやる装置
や場所がないため、トレーニング・ジムなどに行って鍛練することが必要であるため、極
めて不便である。
【０００３】
従来、腹筋を鍛錬する動作をやる場合には、両端にハンドルがそれぞれ設けられるロー
ルを利用することが一般である。利用者が伏せて両手を前記ハンドルに握って、腹筋によ
る力により前記ロールを身体の方向に移動して本来の位置に戻る。このような動作を繰り
返すことにより、腹筋を鍛錬する効果がある。しかし、このような装置によれば、前記ロ
ールの転がりの抵抗を調整できないため、腹筋の鍛錬を順を追って漸進することができな
い。
【考案の概要】
【考案が解決しようとする課題】
【０００４】
本考案の主な目的は、利用者の体を上方に引く動作をやることができ、そして構造を簡単に折畳むと腹筋を鍛錬する動作をやることもでき、そして調整可能な減衰装置が設けられるため、腹筋の鍛錬を順を追って漸進することができる体引き及び腹筋鍛錬式健康器を提供することにある。
【課題を解決するための手段】
【０００５】
本考案の体引き及び腹筋鍛錬式健康器によると、第１枠と、前記第１枠に枢着されている第２枠と、を含み、前記第１枠と前記第２枠は、互いに折畳み、又はある開角を成して地面に立設でき、前記第１枠と前記第２枠の枢着箇所は枢着端であり、前記第１枠と前記第２枠との前記枢着端から遠ざかった端は自由端であり、前記枢着端には、利用者が握り可能な第１握り部及び押付けロッドが設けられる台座と、
摺動ロッドと、減衰装置と、を含み、前記摺動ロッドの両端から第２握り部が延びており
、前記摺動ロッドの底部にローラが設けられ、前記摺動ロッドは前記第２枠を摺動でき、腹筋を鍛錬したい場合には、前記第１枠と前記第２枠を折畳んで前記第２枠が上方に向くように地面に放置して、前記減衰装置の一端を前記第２枠の前記自由端に固定して、前記減衰装置の他端を前記枢着端の滑り車を回って前記摺動ロッドの固定具に固定し、利用者が前記摺動ロッドの前記第２握り部を握って、前記枢着端の前記押付けロッドに膝を押付けて、前記摺動ロッドをスライドすると腹筋を鍛錬することができ、体を上方に引きたい場合には、前記第１枠と前記第２枠をある開角を成して地面に立設して、前記第２枠の前記自由端と前記枢着端とに、前記減衰装置の両端をそれぞれ固定して、利用者が前記第１握り部を握って、前記摺動ロッドに膝を押付けて、前記摺動ロッドをスライドすると体を上方に引くことができる摺動装置と、
を含むことを特徴とする。
【０００６】
本考案の体引き及び腹筋鍛錬式健康器によると、前記第１枠と前記第２枠との枢着箇所で角度調整具が設けられ、前記角度調整具により、前記第１枠と前記第２枠の開角を調整できることを特徴とする。
【０００７】
本考案の体引き及び腹筋鍛錬式健康器によると、前記角度調整具は、複数の定位穴を有する半円形円盤と、ピンと、を含み、前記第１枠と前記第２枠の開角を調整して、前記定位穴に前記ピンを挿入することにより、前記第１枠と前記第２枠の開角を固定できることを特徴とする。
【考案の効果】
【０００８】
本考案の体引き及び腹筋鍛錬式健康器によれば、利用者の体を上方に引く動作をやることができ、そして構造を簡単に折畳むと腹筋を鍛錬する動作をやることもでき、そして調整可能な減衰装置が設けられるため、腹筋の鍛錬を順を追って漸進することができるという効果を有する。
【図面の簡単な説明】
【０００９】
【図１】本考案の一実施例の斜視図である。
【図２】本考案の一実施例の使用状態を示す斜視図である。
【図３】本考案の一実施例の別の使用状態を示す斜視図である。
【図４】本考案の一実施例の使用状態を示す斜視図である。
【図５】本考案の一実施例の別の使用状態を示す斜視図である。
【考案を実施するための最良の形態】
【００１０】
以下、本考案の実施の形態を図面に基づいて説明する。
まず、図１乃至図５を参照する。本考案の体引き及び腹筋鍛錬式健康器は、台座１と、摺動装置２と、を含む。
【００１１】
台座１は、第１枠１１と、第１枠１１に枢着されている第２枠１２と、を含む。第１枠
１１と第２枠１２は、互いに折畳み、又はある開角を成して地面に立設できる。第１枠１
１は、伸縮可能な枠であり、第２枠１２との枢着箇所で角度調整具１３が設けられる。角
度調整具１３は、複数の定位穴を有する半円形円盤１３１と、ピン１３３と、を含む。第
１枠１１と第２枠１２の開角を調整して、前記定位穴にピン１３３を挿入することにより
、第１枠１１と第２枠１２の開角を固定できる。第１枠１１と第２枠１２の枢着箇所は枢着端１０であり、第１枠１１と第２枠１２との枢着端１０から遠ざかった端は自由端１２０である。枢着端１０には、利用者が握り可能な第１握り部１０１及び押付けロッド１０２が設けられる。
【００１２】
摺動装置２は、摺動ロッド２１と、組付けロッド２５と、減衰装置２３と、を含む。摺
動ロッド２１の両端から第２握り部２１０が延びている。摺動ロッド２１の底部にローラ
２１１が設けられ、ローラ２１１により摺動ロッド２１は第２枠を摺動できる。組付けロ
ッド２５は、摺動ロッド２１に平行し、摺動ロッド２１との間に第１隙間２５１がある。
利用者が体を上方に引きたいときには、第１隙間２５１に膝を押付ける。組付けロッド２
５を取り外して第２枠１２の枢着端１０に組付けると、組付けロッド２５は、押付ロッド
１０２に平行し、押付ロッド１０２との間に第２隙間２５２がある。利用者が腹筋を鍛錬
したいときには、第２隙間２５２に膝を押付ける。
【００１３】
利用者が腹筋を鍛錬したい場合には、第１枠１１と第２枠１２を折畳んで、第２枠１２が上方に向くように本考案の全体を地面に放置して、減衰装置２３の一端を第２枠１２の自由端１２０に固定して、減衰装置２３の他端を枢着端１０の滑り車１２７を回って摺動ロッド２１の固定具２１２に固定する。利用者が摺動ロッド２１の第２握り部２１０を握って、組付けロッド２５と押付ロッド１０２の間にある第２隙間２５２に膝を押付けて、
腹筋とアームとによる力によって摺動ロッド２１を前方にスライドする。摺動ロッド２１
に減衰装置２３による引き力が加えられているため、利用者の力が減衰装置２３による引
き力よりも大きくないと、摺動ロッド２１を移動できない。利用者の力が減少するときに
は、減衰装置２３により摺動ロッド２１が本来の位置に戻られる。このような動作を繰り
返すことにより、腹筋を鍛錬することができる。
【００１４】
利用者が体を上方に引きたい場合には、第１枠１１と第２枠１２をある開角を成して本考案の全体を地面に立設して、第２枠１２の自由端１２０と枢着端１０とに、減衰装置２３の両端をそれぞれ固定して、利用者が第１握り部１０１を握って、組付けロッド２５と摺動ロッド２１の間にある第１隙間２５１に膝を押付けて、手部と背部とによる力によって利用者の身体を支え上げると同時に、膝によって摺動ロッド２１を上方にスライドする
。このような動作を繰り返すことにより、アーム及び背部を鍛錬することができる。
【００１５】
押付ロッド１０２、摺動ロッド２１及び組付けロッド２５に軟性構造を覆ってもよい。
そうすると、第１隙間２５１と第２隙間２５２とに利用者の膝を押付けているときには、
利用者の膝を保護することができる。
【産業上の利用可能性】
【００１６】
本考案は、健康器に適用することができる。
【符号の説明】
【００１７】
１：台座
２：摺動装置
１０：枢着端
１１：第１枠
１２：第２枠
１３：角度調整具
２１：摺動ロッド
２３：減衰装置
２５：組付けロッド
１０１：第１握り部
１０２：押付ロッド
１２０：自由端
１２７：滑り車
１３１：半円形円盤
１３３：ピン
２１０：第２握り部
２１１：ローラ
２１２：固定具
２５１：第１隙間
２５２：第２隙間
【図１】
0003169576.tif 000003
【図２】
0003169576.tif 000004
【図３】
0003169576.tif 000005
【図４】
0003169576.tif 000006
【図５】
0003169576.tif 000007